(57)【要約】【課題】ユーザに負担を与えず、バッテリを電力源として使用する状況が発生したときに十分なバッテリ容量で電子機器を駆動できるようにする。【解決手段】バッテリ駆動が可能な電子機器において、ピークシフト制御アプリケーション（電源管理機能）３３は、ＡＣ電源の使用を禁止するＡＣ電源使用禁止期間が設定された設定情報に基づく電源管理を行う。状態判定部３１Ａは、電子機器にＡＣ電源が接続されているときに、電子機器をバッテリ駆動で使用する予定があるか否かを判定する。電源制御部３１Ｂは、状態判定部３１Ａにおいて電子機器をバッテリ駆動で使用する予定があると判定された場合、現時刻がＡＣ電源使用禁止期間に該当する場合であっても、ＡＣ電源を使用してバッテリの充電を実行する。【選択図】    図１
2005025382.tif 000002
【特許請求の範囲】
【請求項１】
バッテリ駆動が可能な電子機器であって、
少なくともＡＣ電源の使用を禁止するＡＣ電源使用禁止期間が設定された設定情報に基づく電源管理を行う電源管理手段と、
当該電子機器にＡＣ電源が接続されているときに、当該電子機器をバッテリ駆動で使用する予定があるか否かを判定する状態判定手段と、
前記状態判定手段において当該電子機器をバッテリ駆動で使用する予定があると判定された場合、現時刻が前記電源管理手段において設定されている前記ＡＣ電源使用禁止期間に該当する場合であっても、ＡＣ電源を使用してバッテリの充電を実行する電源制御手段と
を具備することを特徴とする電子機器。
【請求項２】
前記電源管理手段は、更に、バッテリの充電を禁止する充電禁止期間が設定された設定情報に基づく電源管理を行う手段を有し、
前記電源制御手段は、前記状態判定手段において当該電子機器をバッテリ駆動で使用する予定があると判定された場合、現時刻が前記電源管理手段において設定されている前記充電禁止期間に該当する場合であっても、ＡＣ電源を使用してバッテリの充電を実行することを特徴とする請求項１記載の電子機器。
【請求項３】
前記状態判定手段は、最大バッテリ容量と現時刻のバッテリ容量との差から充電に要する充電時間を算出し、現時刻からその充電時間が経過するまでに、当該電子機器をバッテリ駆動で使用する予定の開始点が存在するか否かを判定することを特徴とする請求項１記載の電子機器。
【請求項４】
当該電子機器をバッテリ駆動で使用する予定の期間を、前記ＡＣ電源使用禁止期間と共にスケジュール台帳に登録することが可能なスケジュール管理手段を更に具備し、
前記状態判定手段は、前記スケジュール管理手段に管理されるスケジュール台帳に基づいて前記判定を行うことを特徴とする請求項１記載の電子機器。
【請求項５】
前記スケジュール管理手段は、前記スケジュール台帳に対し、バッテリの充電を要求する充電要求期間を更に登録することが可能であり、
前記状態判定手段は、前記スケジュール管理手段に管理されるスケジュール台帳に登録された前記充電要求期間を検出することにより、当該電子機器をバッテリ駆動で使用する予定があるものと判定することを特徴とする請求項４記載の電子機器。
【請求項６】
バッテリ駆動が可能な電子機器に適用される電源制御方法であって、
少なくともＡＣ電源の使用を禁止するＡＣ電源使用禁止期間が設定された設定情報に基づく電源管理を行い、
当該電子機器にＡＣ電源が接続されているときに、当該電子機器をバッテリ駆動で使用する予定があるか否かを判定し、
前記判定において当該電子機器をバッテリ駆動で使用する予定があると判定された場合、現時刻が前記電源管理において設定されている前記ＡＣ電源使用禁止期間に該当する場合であっても、ＡＣ電源を使用してバッテリの充電を実行することを特徴とする電源制御方法。
【請求項７】
前記電源管理では、更に、バッテリの充電を禁止する充電禁止期間が設定された設定情報に基づく電源管理を行い、
前記電源制御では、前記判定において当該電子機器をバッテリ駆動で使用する予定があると判定された場合、現時刻が前記電源管理において設定されている前記充電禁止期間に該当する場合であっても、ＡＣ電源を使用してバッテリの充電を実行することを特徴とする請求項６記載の電源制御方法。
【請求項８】
前記判定では、最大バッテリ容量と現時刻のバッテリ容量との差から充電に要する充電時間を算出し、現時刻からその充電時間が経過するまでに、当該電子機器をバッテリ駆動で使用する予定の開始点が存在するか否かを判定することを特徴とする請求項６記載の電源制御方法。
【請求項９】
当該電子機器をバッテリ駆動で使用する予定の期間を、前記ＡＣ電源使用禁止期間と共にスケジュール台帳に登録できるようにし、
前記判定では、前記スケジュール台帳に基づいて前記判定を行うことを特徴とする請求項６記載の電源制御方法。
【請求項１０】
前記スケジュール台帳に対し、バッテリの充電を要求する充電要求期間を更に登録できるようにし、
前記判定では、前記スケジュール台帳に登録された前記充電要求期間を検出することにより、当該電子機器をバッテリ駆動で使用する予定があるものと判定することを特徴とする請求項９記載の電源制御方法。
【発明の詳細な説明】
【０００１】
【発明の属する技術分野】
本発明は、バッテリ駆動が可能な電子機器および電源制御方法に関し、特に、ピークシフト制御を行うことが可能な電子機器および電源制御方法に関する。
【０００２】
【従来の技術】
近年、パーソナルコンピュータ（ＰＣ）などの電子機器に適用される電源管理技術として、ピークシフト機能と呼ばれる電源管理機能が注目されている。ピークシフト機能は、電力使用のピーク時間帯（特に夏季の日中１３時〜１６時）に入ると、自動的にＡＣ電源からの電力供給を止め、それまで電力を蓄えていたバッテリを電源として動作させる電源管理機能である。これにより、電力需要の負荷の平準化が図れる。
【０００３】
ピークシフト制御に関しては、種々な技術が提案されている。例えば、特許文献１には、ＡＣ駆動中に特定時間帯に入ると、ＡＣ駆動からバッテリ駆動に切り換える技術が開示されている。
【０００４】
【特許文献１】
特開２０００−２９５７６号公報
【０００５】
【発明が解決しようとする課題】
上記の技術では、特定時間帯に入るとＡＣ駆動が禁止される。そして、バッテリを電力源として電子機器を使用する状況（会議での使用など）が発生すると、バッテリ容量が少ない状態で電子機器を使用することとなる。この場合、バッテリによる電子機器の使用時間が少なくなってしまうことになる。
【０００６】
この問題に対処するには、ユーザは、バッテリを電力源として使用する状況が発生する時点から一定の時間を溯って充電を開始することを意識し、自らピークシフト制御を中断する必要がある。しかし、このことは、ユーザに大きな負担を与える結果となる。
【０００７】
本発明は上記実情に鑑みてなされたものであり、ユーザに負担を与えず、バッテリを電力源として使用する状況が発生したときに十分なバッテリ容量で駆動することが可能な電子機器および電源制御方法を提供することを目的とする。
【０００８】
【課題を解決するための手段】
本発明に係る電子機器は、バッテリ駆動が可能な電子機器であって、少なくともＡＣ電源の使用を禁止するＡＣ電源使用禁止期間が設定された設定情報に基づく電源管理を行う電源管理手段と、当該電子機器にＡＣ電源が接続されているときに、当該電子機器をバッテリ駆動で使用する予定があるか否かを判定する状態判定手段と、前記状態判定手段において当該電子機器をバッテリ駆動で使用する予定があると判定された場合、現時刻が前記電源管理手段において設定されている前記ＡＣ電源使用禁止期間に該当する場合であっても、ＡＣ電源を使用してバッテリの充電を実行する電源制御手段とを具備することを特徴とする。
【０００９】
また、本発明に係る電源制御方法は、バッテリ駆動が可能な電子機器に適用される電源制御方法であって、少なくともＡＣ電源の使用を禁止するＡＣ電源使用禁止期間が設定された設定情報に基づく電源管理を行い、当該電子機器にＡＣ電源が接続されているときに、当該電子機器をバッテリ駆動で使用する予定があるか否かを判定し、前記判定において当該電子機器をバッテリ駆動で使用する予定があると判定された場合、現時刻が前記電源管理において設定されている前記ＡＣ電源使用禁止期間に該当する場合であっても、ＡＣ電源を使用してバッテリの充電を実行することを特徴とする。
【００１０】
【発明の実施の形態】
以下、図面を参照して本発明の実施形態を説明する。
【００１１】
図１は、本発明の一実施形態に係る電子機器の構成を示すブロック図である。
電子機器は、例えばパーソナルコンピュータ（ＰＣ）であり、電力制御の対象となる複数の構成要素を有する。この電子機器は、バス１、バッテリ１１、電源制御装置１２、記憶媒体１７、入力装置１８、表示装置１９、ビデオ回路２０、メモリ２１、ＣＰＵ２２などを備えている。また、電子機器には、外部からＡＣ電源１０の電力を、商用電路およびＡＣアダプタを通じて供給することができるようになっている。
【００１２】
バス１は、電子機器を構成する各種の構成要素を接続し、要素間のデータのやり取りを媒介する。
【００１３】
バッテリ１１は、電子機器に内蔵のリチャージャブルな電池であり、ＡＣ電源１０が電子機器に供給されている間は充電が可能である。
【００１４】
電源制御装置１２は、ＡＣ電源１０またはバッテリ１１の電力に基づき、電子機器内の各構成要素に必要な電力を供給する。
【００１５】
記憶媒体１７は、例えばハードディスクドライブであり、スケジュール台帳（行動予定表）のデータなどを記憶している。記憶媒体１７内のデータは、必要に応じてメモリ２１上にロードされる。また、スケジュール台帳は、メモリ２１上で管理するようにしてもよい。
【００１６】
入力装置１８は、キーボードやマウスに相当するものであり、例えば表示装置の画面上でデータの編集・設定などを行うために使用される。
【００１７】
表示装置１９は、例えばＬＣＤ（Ｌｉｑｕｉｄ  Ｃｒｙｓｔａｌ  Ｄｉｓｐｌａｙ）であり、ビデオ回路２０から供給されるデータに従って各種設定画面やスケジュール台帳（行動予定表）などを表示する。
【００１８】
ビデオ回路２０は、ＣＰＵ２２による制御のもとで、記憶媒体１７内のデータや入力装置１８を介して入力されたデータなどを表示装置へ出力する。
【００１９】
メモリ２１は、ＣＰＵ２２の作業領域として使用されるＲＡＭ（Ｒａｎｄｏｍ  Ａｃｃｅｓｓ  Ｍｅｍｏｒｙ）であり、ＣＰＵ２２により実行されるＯＳや各種のアプリケーション、ドライバ、データなどを記憶する。
【００２０】
ＣＰＵ２２は、電子機器全体の動作を司るプロセッサであり、各種のプログラムを実行したりする。
【００２１】
図２は、本実施形態における電源制御を実現するための機能構成を示す図である。
【００２２】
図２に示される電源制御装置１２の中には、電源選択回路１３および充電制御回路１４が設けられる。電源選択回路１３は、電源管理プログラム３１からの指示にしたがって、各構成要素への電源供給に使用すべき電源（ＡＣ電源１０かバッテリ１１）を選択する回路である。充電制御回路１４は、電源管理プログラム３１からの指示にしたがって、ＡＣ電源１０の使用によるバッテリの充電の実行／停止を制御する回路である。
【００２３】
また、図２に示される電源管理プログラム３１、スケジュール管理アプリケーション３２、ピークシフト制御アプリケーション３３は、上記メモリ２１に記憶され、電源制御を行う際にＣＰＵ２２により実行されるものである。なお、スケジュール管理アプリケーション３２やピークシフト制御アプリケーション３３は、電源管理プログラム３１の中に含まれるものとして構築してもよい。計時部３４は、電源管理プログラム３１により使用されるタイマなどを含んでいる。
【００２４】
ピークシフト制御アプリケーション３３は、ピークシフト機能と呼ばれる電源管理機能に相当するものである。ピークシフト制御では、ＡＣ接続（ＡＣアダプタによる商用電路接続）時のみ有効な機能であり、次の３つに大別できる。
【００２５】
（Ａ）ＡＣ電源を使用し、バッテリ充電も実行する
（Ｂ）ＡＣ電源を使用するが、バッテリ充電を行わない（「充電禁止期間」に該当）
（Ｃ）ＡＣ電源を使用せず、バッテリ駆動とする（「ＡＣ電源使用禁止期間」に該当）
すなわち、ピークシフト制御アプリケーション３３は、ＡＣ電源の使用を禁止する「ＡＣ電源使用禁止期間」が設定された設定情報に基づく電源管理を行ったり、バッテリの充電を禁止する「充電禁止期間」が設定された設定情報に基づく電源管理を行ったりする。
【００２６】
状態判定部３１Ａは、ＡＣ電源（もしくはＡＣアダプタ）の接続状態の判定や、現時刻が上記「ＡＣ電源使用禁止期間」や「充電禁止期間」に該当するか否かの判定、バッテリ駆動の予定があるか否かの判定などを行うものである。特に、この状態判定部３１Ａは、電子機器にＡＣ電源が接続されているときに、電子機器をバッテリ駆動で使用する予定があるか否かを判定したりする。具体的には、最大バッテリ容量と現時刻のバッテリ容量との差から充電に要する充電時間を算出し、現時刻からその充電時間が経過するまでに、電子機器をバッテリ駆動で使用する予定の開始点が存在するか否かを判定する。存在する場合には、バッテリ駆動の予定があるものとみなす。簡易的に、充電時間を残量０％から満充電になるまでの固定時間で代用することもあり得る。
【００２７】
電源制御部３１Ｂは、状態判定部３１Ａの判定結果に基づいて該当する電源制御を実行するものである。特に、この電源制御部３１Ｂは、状態判定部３１Ａにおいて電子機器をバッテリ駆動で使用する予定があると判定された場合、現時刻がピークシフト制御アプリケーション３３において設定されている「ＡＣ電源使用禁止期間」に該当する場合であっても、ＡＣ電源を使用してバッテリの充電を実行する。また、状態判定部３１Ａにおいて電子機器をバッテリ駆動で使用する予定があると判定された場合、現時刻がピークシフト制御アプリケーション３３において設定されている「充電禁止期間」に該当する場合であっても、ＡＣ電源を使用してバッテリの充電を実行する。
【００２８】
一方、スケジュール管理アプリケーション３２は、ユーザが使用するスケジュール台帳（行動予定表）を記憶媒体１７上（もしくはメモリ２１上）で管理するスケジュール管理機能に相当するものである。このスケジュール管理アプリケーション３２は、電子機器をバッテリ駆動で使用する予定の期間を、「ＡＣ電源使用禁止期間」と共にスケジュール台帳に登録することが可能である。この場合、上記状態判定部３１Ａは、スケジュール管理アプリケーション３２に管理されるスケジュール台帳に基づいて上記判定を行うことができる。
【００２９】
また、スケジュール管理アプリケーション３２は、ユーザの入力操作に応じ、スケジュール台帳に対して、バッテリの充電を要求する「充電要求期間」もしくは「充電予約時間」を更に登録することが可能である。この場合、上記状態判定部３１Ａは、スケジュール管理アプリケーション３２に管理されるスケジュール台帳に登録された「充電要求期間」等を検出することにより、電子機器をバッテリ駆動で使用する予定があるものと判定することができる。
【００３０】
また、スケジュール管理アプリケーション３２は、ユーザからの要求に応じ、スケジュール台帳を、各期間を色分けした状態で表示装置１９の画面上に表示することができる。
【００３１】
次に、図３および図４を参照して、基本的なピークシフト制御について説明する。
【００３２】
ピークシフト制御では、図３に示されるように時刻が電力使用のピーク時間帯（特に夏季の日中１３時〜１６時）に入ると、自動的にＡＣ電源からの供給を止め、それまで電力を蓄えていたバッテリを電源として動作させるための電源管理が行われる。
【００３３】
例えば、図４に示されるように、ピークシフト制御では１３時からＡＣ電源の使用が禁止され、その後、１６時からＡＣ電源の使用によるバッテリの充電が可能となる。もし、１５時の時点で、電子機器をバッテリ駆動で使用する状況が発生した場合、電子機器はロー・バッテリの状態となり、バッテリ駆動による電子機器の使用時間は少なくなる。このため、例えば１３時半頃から、たとえ「ＡＣ電源使用禁止期間」の最中であっても、ＡＣ電源を使用してバッテリの充電を開始する必要がある。
【００３４】
また、「ＡＣ電源使用禁止期間」のほかに、企業内での取り決め等から、「充電禁止期間」（例えば、１１時から１７時までの間）を設定することもある。
【００３５】
次に、図５を参照して、ピークシフト制御に関する設定画面の例を説明する。
【００３６】
図５に示されるように、画面中には、ピークシフト時間の設定のための領域４０が設けられている。この領域４０の中には、ピークシフト制御の期間（月・日）を設定するための領域４１と、バッテリ充電を停止する時間帯（「充電禁止期間」）を設定するための領域４２と、バッテリを稼動させる時間帯（「ＡＣ電源使用禁止期間」）を設定するための領域４３とが設けられる。
【００３７】
図６は、スケジュール管理アプリケーション３２により記憶媒体１７上で管理されるスケジュール台帳の一例を示す図である。
【００３８】
この例では、バッテリを稼動させる時間帯（「ＡＣ電源使用禁止期間」）が「１３時〜１６時」に設定され、バッテリの充電に要するバッテリ充電時間が「１．５時間」であるものとする（ここでは便宜上、バッテリ充電時間が固定であるものとして説明する）。また、スケジュール台帳上における各予定のうち、「Ａ社訪問」、「Ｂ社訪問」、「Ｄ社訪問」、「会議１」が、バッテリ駆動の予定であるとものとして、ユーザが予め設定を行ったものとする。
【００３９】
上記の場合、毎日、１３時になると、ピークシフト制御によって自動的に電力供給源がＡＣ電源からバッテリに切り換わる。１６時になると、電力供給源がバッテリからＡＣ電源に戻る。
【００４０】
１）１７日は、１３時からバッテリ駆動状態となるが、「Ａ社訪問」が１５時に予定されているので、その１．５時間前である１３時３０分にバッテリ駆動状態からＡＣ駆動状態に切り換わり、バッテリの充電が開始される。
【００４１】
２）１８日は、１３時からバッテリ駆動予定となるが、「会議１」が１４時に予定されているので、その１．５時間前である１２時３０分にＡＣ駆動状態でバッテリの充電が開始される。この場合、１３時００分にバッテリ駆動状態に切り換わることはない。
【００４２】
３）１９日は、１３時からバッテリ駆動状態となるが、「Ｂ社訪問」が１６時に予定されているので、その１．５時間前である１４時３０分にバッテリ駆動状態からＡＣ駆動状態に切り換わり、バッテリの充電が開始される。
【００４３】
４）２０日は、電子機器をバッテリ駆動で使用する予定はない。「会議２」が１４時に予定されているが、バッテリ駆動の予定には該当しないため、通常のピークシフト制御によって１３時からバッテリ駆動状態となる。
【００４４】
５）２１日は、１３時からバッテリ駆動予定となるが、「Ｄ社訪問」が１４時に予定されているので、その１．５時間前である１２時３０分にＡＣ駆動状態でバッテリの充電が開始される。この場合、１３時００分にバッテリ駆動状態に切り換わることはない。
【００４５】
次に、図７を参照して、図６のスケジュール台帳に基づく電源制御について説明する。
【００４６】
まず、電子機器にＡＣアダプタ（ＡＣ電源）が接続されているか否かが判定される（ステップＡ１）。接続されていなければ、バッテリ駆動となる（ステップＡ２）。一方、接続されていれば、現時刻が「ＡＣ電源使用禁止期間」に該当するか否かが判定される（ステップＡ３）。
【００４７】
「ＡＣ電源使用禁止期間」に該当すれば、バッテリ駆動の予定があるか否かが判定される（ステップＡ４）。バッテリ駆動の予定がなければ、バッテリ駆動となる（ステップＡ２）。一方、バッテリ駆動の予定があれば、「ＡＣ電源使用禁止期間」であってもＡＣ電源を使用し、充電を実行する（ステップＡ５）。
【００４８】
上記ステップＡ３において、「ＡＣ電源使用禁止期間」に該当しなければ、現時刻が「充電禁止期間」に該当するか否かが判定される（ステップＡ６）。「充電禁止期間」に該当しなければ、ＡＣ電源を使用し、充電を実行する（ステップＡ５）。一方、「充電禁止期間」に該当すれば、バッテリ駆動の予定があるか否かが判定される（ステップＡ７）。
【００４９】
バッテリ駆動の予定があれば、「充電禁止期間」であっても、ＡＣ電源を使用して充電を実行する（ステップＡ５）。一方、バッテリ駆動の予定がなければ、ＡＣ電源を使用するが、充電は実行しない（ステップＡ８）。
【００５０】
図８は、図６に示したスケジュール台帳の変形例を示す図である。
【００５１】
図８のスケジュール台帳は、図６のスケジュール台帳上に、バッテリの充電を要求することを示す「充電要求期間」を、ユーザから要求などに応じて登録できるようにしたものとなっている。各「充電要求期間」は、図６で説明した「バッテリ充電時間（１．５時間）」に該当する時間帯の位置に登録されている。
【００５２】
この場合、上記状態判定部３１Ａは、スケジュール台帳に登録された「充電要求期間」を検出することにより、電子機器をバッテリ駆動で使用する予定があることを判定することが可能となる。
【００５３】
次に、図９を参照して、図８のスケジュール台帳に基づく電源制御について説明する。
【００５４】
まず、電子機器にＡＣアダプタ（ＡＣ電源）が接続されているか否かが判定される（ステップＢ１）。接続されていなければ、バッテリ駆動となる（ステップＢ２）。一方、接続されていれば、現時刻がバッテリの「充電要求期間」に該当するか否かが判定される（ステップＢ３）。「充電要求期間」に該当しなければ、現時刻が「ＡＣ電源使用禁止期間」に該当するか否かが判定される（ステップＢ４）。
【００５５】
「ＡＣ電源使用禁止期間」に該当すれば、バッテリ駆動となる（ステップＢ２）。一方、「ＡＣ電源使用禁止期間」に該当しなければ、現時刻が「充電禁止期間」に該当するか否かが判定される（ステップＢ５）。
【００５６】
「充電禁止期間」に該当すれば、ＡＣ電源を使用するが、充電は実行しない（ステップＢ６）。
【００５７】
上記ステップＢ３において、「充電要求期間」に該当する場合は、ＡＣ電源を使用し、充電を実行する（ステップＢ７）。また、上記ステップＢ５において、「充電禁止期間」に該当しない場合も、ＡＣ電源を使用し、充電を実行する（ステップＢ７）。
【００５８】
このように、本実施形態によれば、ユーザは、バッテリを電力源として使用する状況が発生する時点から一定の時間を溯って充電を開始することを意識する必要がなくなり、自らピークシフト制御を中断する作業が不要となる。これにより、ユーザにかかっていた負担を大いに軽減することが可能となる。
【００５９】
なお、本実施形態では、電子機器にピークシフト機能を搭載した場合を説明したが、電子機器にピークシフト機能を搭載しない形態とすることも考えられる。この場合、ＡＣアダプタが接続されていない時に、充電予測によってバッテリ充電のためのＡＣアダプタ接続ガイダンスを表示することにより、充電を促すようにすると効果的である。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００６１】
【発明の効果】
以上詳記したように本発明によれば、ユーザに負担を与えず、バッテリを電力源として使用する状況が発生したときに十分なバッテリ容量で電子機器を駆動することが可能となる。
【図面の簡単な説明】
【図１】本発明の一実施形態に係る電子機器の構成を示すブロック図。
【図２】電源制御を実現するための機能構成を示す図。
【図３】ピークシフト制御を説明するための図。
【図４】ピークシフト制御の具体例を示す図。
【図５】ピークシフト制御に関する設定画面の例を示す図。
【図６】スケジュール管理アプリケーションにより管理されるスケジュール台帳の一例を示す図。
【図７】図６のスケジュール台帳に基づく電源制御を示すフローチャート。
【図８】図６に示したスケジュール台帳の変形例を示す図。
【図９】図８のスケジュール台帳に基づく電源制御を示すフローチャート。
【符号の説明】１…バス、１０…ＡＣ電源、１１…バッテリ、１２…電源制御装置、１３…電源選択回路、１４…充電制御回路、１７…記憶媒体、１８…入力装置、１９…表示装置、２０…ビデオ回路、２１…メモリ、２２…ＣＰＵ、３１…電源管理プログラム、３１Ａ…状態判定部、３１Ｂ…電源制御部、３２…スケジュール管理アプリケーション、３３…ピークシフト制御アプリケーション、３４…計時部、４０〜４３…領域。
【図１】
2005025382.tif 000003
【図２】
2005025382.tif 000004
【図３】
2005025382.tif 000005
【図４】
2005025382.tif 000006
【図５】
2005025382.tif 000007
【図６】
2005025382.tif 000008
【図７】
2005025382.tif 000009
【図８】
2005025382.tif 000010
【図９】
2005025382.tif 000011